(57)【要約】【課題】  ＣＤおよびＤＶＤに対して記録／再生が行える光ディスク装置について、ＣＤおよびＤＶＤにかかる性能が適正に評価できる評価用ディスクを提供する。【解決手段】  評価用ディスク２０は、半径方向に内周領域２１、中周領域２２、および外周領域２３の３つの領域に分割されており、内周領域２１はＣＤ規格による記録情報を形成した内周側ＣＤ用評価領域２１ａとＤＶＤ規格による記録情報を形成した内周側ＤＶＤ用評価領域２１ｂとに分割されている。中周領域２２はＣＤ規格による記録情報を形成した中周側ＣＤ用評価領域２２ａとＤＶＤ規格による記録情報を形成した第１の中周側ＤＶＤ用評価領域２２ｂおよび第２の中周側ＤＶＤ用評価領域２２ｃと、３つに分割されている。外周領域２３はＤＶＤ規格による記録情報を形成した外周側ＤＶＤ用評価領域２３ｂとＣＤ規格による記録情報を形成した外周側ＣＤ用評価領域２３ａとに分割されている。【選択図】  図２
2006040388.tif 000002
【特許請求の範囲】
【請求項１】
ピックアップヘッドの評価に用いる、外形形状が円盤形状である評価用ディスクにおいて、
半径方向に、内周領域、中周領域、および外周領域の３つの領域に分割し、
これら内周領域、中周領域、および外周領域のそれぞれが、ＣＤ規格による記録情報を形成したＣＤ用評価領域と、ＤＶＤ規格による記録情報を形成したＤＶＤ用評価領域と、に分割しており、
前記ＤＶＤ規格による記録情報を形成した前記ＤＶＤ用評価領域には、ランドプリピットを形成した領域が含まれており、
さらに、前記ＤＶＤ規格による記録情報を形成した前記ＤＶＤ用評価領域には、形成している記録情報のピット深さを第１の深さにした領域と、この第１の深さと異なる第２の深さにした前記ＤＶＤ用評価領域と、が含まれている評価用ディスク。
【請求項２】
ピックアップヘッドの評価に用いる、外形形状が円盤形状である評価用ディスクにおいて、
半径方向に、内周領域、中周領域、および外周領域の３つの領域に分割し、
これら内周領域、中周領域、および外周領域のそれぞれが、ＣＤ規格による記録情報を形成したＣＤ用評価領域と、ＤＶＤ規格による記録情報を形成したＤＶＤ用評価領域と、に分割している評価用ディスク。
【請求項３】
前記ＤＶＤ規格による記録情報を形成した前記ＤＶＤ用評価領域には、ランドプリピットを形成した領域が含まれている請求項２に記載の評価用ディスク。
【請求項４】
前記ＤＶＤ規格による記録情報を形成した前記ＤＶＤ用評価領域には、形成している記録情報のピット深さを第１の深さにした領域と、この第１の深さと異なる第２の深さにした前記ＤＶＤ用評価領域と、が含まれている請求項２または３に記載の評価用ディスク。
【発明の詳細な説明】
【技術分野】
【０００１】
この発明は、ＣＤおよびＤＶＤの２種類の光ディスクに対して記録／再生が行える光ディスク装置の調整、および評価に用いる評価用ディスクに関する。
【背景技術】
【０００２】
従来、ＣＤおよびＤＶＤの２種類の光ディスクに対して記録／再生が行える光ディスク装置（マルチ対応の光ディスク装置）が一般に普及している。周知のように、ＣＤとＤＶＤとは、その外形形状については同じであるが（直径１２ｃｍ、厚さ１．２ｍｍ）、記録層までの厚み、記録層での反射率、記録ビットの物理量等、記録する情報（記録情報）の規格が異なっている。このため、マルチ対応の光ディスク装置の製造時には、ＣＤおよびＤＶＤの両方について、記録／再生にかかる性能を確認する検査を行い、その検査結果に基づいて評価しなければならない。従来、この評価を行うときに、その外形形状がＣＤやＤＶＤと同じであり、面振れや反りが無いガラスディスク等を評価用ディスクとして用いている。具体的には、評価用ディスクを評価対象の光ディスク装置にセットし、この光ディスク装置が記憶する評価プログラムを実行することにより、検査項目毎に検査を行い、検査項目毎にその検査結果に基づいて記録／再生にかかる性能を評価している。検査項目は、主にピックアップヘッドの性能にかかる項目である。
【０００３】
評価対象の装置がマルチ対応の光ディスクである場合、ＣＤに対する評価項目と、ＤＶＤに対する評価項目とについて検査を行い、評価しなければならない。一方、ＣＤについての評価を行う評価用ディスクと、ＤＶＤについて評価を行う評価用ディスクとが、異なるディスクであると、この光ディスク装置を評価するときに、本体にセットする光ディスクを交換する作業がともない、装置の評価に手間と時間がかかる。
【０００４】
そこで、ＣＤおよびＤＶＤについての検査が行え、装置の評価が行える評価用ディスクが特許文献１で提案されている。この評価用ディスクは、ＣＤ規格によるデータを内周側に形成し、ＤＶＤ規格によるデータを外周側に形成した構成である。
【特許文献１】特開２００２−１５４７７号公報
【発明の開示】
【発明が解決しようとする課題】
【０００５】
しかしながら、特許文献１で提案されている評価用ディスクは、上述したように、単にＣＤ規格によるデータを内周側に形成し、ＤＶＤ規格によるデータを外周側に形成した構成であった。このため、サイドビームの位相差の検査等が適正に行えないという問題があった。具体的には、光ディスクに形成されているトラックは、外周ほど半径が大きくなることから、光ディスクの半径位置により接線の傾きが異なるので、光ディスクの半径位置でサイドビーム間の位相差が変化する。特許文献１で提案されている評価用ディスクは、ＣＤについての評価ではＣＤ規格によるデータが内周側に形成されているだけなので、外周側におけるサイドビームの位相差を測定する検査が行えない。反対に、ＤＶＤについての評価ではＤＶＤ規格によるデータが外周側に形成されているだけなので、内周側におけるサイドビームの位相差を測定する検査が行えない。その結果、ＣＤ、およびＤＶＤについて、内周側と外周側とにおけるサイドビームの位相差の測定が行えず、内周側と外周側とにおけるサイドビームの位相差の検査が適正に行えないという問題があった。
【０００６】
また、従来の評価用ディスクには、ＤＶＤ規格によるデータを形成した領域にランドプリピット（ＬＰＰ）が形成されておらず、再生信号におけるＬＰＰの漏れ込みにかかる検査も行えなかった。
【０００７】
この発明の目的は、ＣＤおよびＤＶＤの２種類の光ディスクに対して記録／再生が行える光ディスク装置について、ＣＤおよびＤＶＤにかかる性能が適正に評価できる評価用ディスクを提供することにある。
【課題を解決するための手段】
【０００８】
この発明の評価用ディスクは、上記課題を解決するために以下の構成を備えている。
【０００９】
（１）ピックアップヘッドの評価に用いる、外形形状が円盤形状である評価用ディスクにおいて、
半径方向に、内周領域、中周領域、および外周領域の３つの領域に分割し、
これら内周領域、中周領域、および外周領域のそれぞれが、ＣＤ規格による記録情報を形成したＣＤ用評価領域と、ＤＶＤ規格による記録情報を形成したＤＶＤ用評価領域と、に分割している。
【００１０】
この構成では、半径方向に分割した内周領域、中周領域、および外周領域の３つの領域に、それぞれＣＤ規格による記録情報を形成したＣＤ用評価領域と、ＤＶＤ規格による記録情報を形成したＤＶＤ用評価領域とを形成しているので、ＣＤ、およびＤＶＤについて、内周側、中周側、および外周側におけるサイドビームの位相差等の測定が行える。したがって、ＣＤ、およびＤＶＤについて、内周側と外周側とにおけるサイドビームの位相差等を測定し、その結果に基づいて装置の特性を適正に評価することができる。
【００１１】
（２）前記ＤＶＤ規格による記録情報を形成した前記ＤＶＤ用評価領域には、ランドプリピットを形成した領域が含まれている。
【００１２】
この構成では、再生信号におけるランドプリピット（ＬＰＰ）の漏れ込みにかかる評価も行える。
【００１３】
（３）前記ＤＶＤ規格による記録情報を形成した前記ＤＶＤ用評価領域には、形成している記録情報のピット深さを第１の深さにした領域と、この第１の深さと異なる第２の深さにした前記ＤＶＤ用評価領域と、が含まれている。
【００１４】
この構成では、ＤＶＤの検査において、ＤＰＰ（Ｄｉｆｆｅｒｅｎｔｉａｌ  Ｐｕｓｈ−Ｐｕｌｌ）法によるトラッキングエラー信号のレベルを十分に得ることができ、トラッキングエラーにかかる評価も適正に行える。
【００１５】
なお、ＤＶＤに対する記録機能を有する一般的な装置では、トラッキングエラー信号の生成方法がＤＰＰ法である。
【発明の効果】
【００１６】
この発明によれば、半径方向に分割した内周領域、中周領域、および外周領域の３つの領域に、それぞれＣＤ規格による記録情報を形成したＣＤ用評価領域と、ＤＶＤ規格による記録情報を形成したＤＶＤ用評価領域とを形成しているので、ＣＤ、およびＤＶＤについて、内周側、中周側、および外周側におけるサイドビームの位相差等の測定が行える。したがって、ＣＤ、およびＤＶＤについて、内周側と外周側とにおけるサイドビームの位相差等を測定し、その結果に基づいて装置の特性を適正に評価することができる。
【００１７】
また、再生信号におけるランドプリピット（ＬＰＰ）の漏れ込みにかかる評価も行える。
【発明を実施するための最良の形態】
【００１８】
以下、この発明の実施形態である評価用ディスクについて説明する。
【００１９】
まず、本願発明にかかる評価用ディスクを用いて特性を評価する評価対象の光ディスク装置について簡単に説明する。図１は、評価対象の光ディスク装置の主要部の概略の構成を示す図である。この光ディスク装置１は、ＣＤおよびＤＶＤの２種類の光ディスクに対して記録／再生が行えるマルチ対応の光ディスク装置である。このマルチ対応の光ディスク装置１は、本体の動作を制御する制御部２と、データの記録、および再生時に本体にセットされている光ディスク１０（ＣＤ、ＤＶＤ）にレーザ光を照射するピックアップヘッド３と、データの記録時に光ディスク１０に記録するデータに基づいて照射するレーザ光を制御する記録部４と、再生時にピックアップヘッド３からのＲＦ信号を処理して再生信号を生成する再生部５と、ピックアップヘッド３から得られるトラッキングエラー信号（ＴＥ信号）に基づいてトラッキングサーボ制御を行うトラッキング制御部６と、ピックアップヘッド３から得られるフォーカスエラー信号（ＦＥ信号）に基づいてフォーカスサーボ制御を行うフォーカス制御部７と、光ディスク１０に記録するデータの入力を受け付けたり、光ディスク１０に記録されているデータを再生した再生信号を出力する入出力部８と、を備えている。
【００２０】
ピックアップヘッド３には、ＣＤに対して照射するレーザ光（波長、７８０ｎｍ）を出力する第１の光源および、ＣＤからの反射光を検出する第１の受光素子、ＤＶＤに対して照射するレーザ光（波長、６５０ｎｍ）を出力する第２の光源、ＤＶＤからの反射光を検出する第２の受光素子、光ディスクに照射するレーザ光を集光する対物レンズ、この対物レンズを光ディスク１０の半径方向、および光ディスク１０に接離する方向に移動する２軸のアクチュエータ等が設けられている。また、ピックアップヘッド３は、図示していないスレッドモータにより、光ディスク１０の半径方向に移動自在に取り付けられている。
【００２１】
なお、第１の受光素子および第２の受光素子については、別々に設けない構成とすることもできる。
【００２２】
記録部４は、入出力部８で受け付けた光ディスク１０に記録するデータのエンコードや、エンコードしたデータに基づいてピックアップヘッド３から光ディスク１０に照射するレーザ光のパワー制御等を行う。再生部５は、ピックアップヘッド３から得たＲＦ信号から光ディスク１０に記録されているデータを得るとともに、このデータをデコードした再生信号の生成等を行う。再生部５が生成した再生信号は、入出力部８から外部に出力される。トラッキング制御部６は、ピックアップヘッド３から出力されるＴＥ信号に基づいて、ピックアップヘッド３、およびこのピックアップヘッド３に設けられている対物レンズを光ディスク１０の半径方向に移動し、レーザ光を照射する位置を光ディスク１０のトラックに合わせるサーボ制御（トラッキング制御）を行う。光ディスク装置１は、ＤＰＰ（Ｄｉｆｆｅｒｅｎｔｉａｌ  Ｐｕｓｈ−Ｐｕｌｌ）法によりトラッキング制御を行う。フォーカス制御部７は、ピックアップヘッド３から出力されるＴＥ信号に基づいて、このピックアップヘッド３に設けられている対物レンズを光ディスク１０に対して接離する方向に移動し、レーザ光が集光される位置を光ディスク１０のデータの記録面に合わせるサーボ制御（フォーカス制御）を行う。
【００２３】
また、制御部２は、この発明の実施形態にかかる評価用ディスクを用いて、検査項目毎に検査を行い、その検査結果に基づいて検査項目毎に評価する処理を実行する評価プログラムを記憶している。この評価プログラムは、主にピックアップヘッド３の性能にかかる検査項目の測定を行って、性能を評価するプログラムである。
【００２４】
なお、ここでは、光ディスク装置１における、光ディスク１０へのデータの記録にかかる記録処理や、光ディスク１０に記録されているデータを読み取って再生する再生処理については、公知の装置と同じであるので、その説明を省略する。
【００２５】
図２は、この発明の実施形態である評価用ディスク２０を示す図である。この評価用ディスク２０は、外形形状がＣＤ、ＤＶＤと同じ円盤形状で、直径が１２ｃｍ、厚さが１．２ｍｍである。評価用ディスク２０の基板材料は、ガラスやポリカーボネートである。図２に示すように、半径方向に内周領域２１、中周領域２２、および外周領域２３の３つの領域に分割されている。内周領域２１は評価用ディスク２０の中心からの距離が２５〜３６ｍｍの範囲であり、中周領域２２は評価用ディスク２０の中心からの距離が３６〜５０ｍｍの範囲であり、外周領域２３は評価用ディスク２０の中心からの距離が５０〜６０ｍｍの範囲である。内周領域２１は、ＣＤ規格による記録情報を形成した内周側ＣＤ用評価領域２１ａとＤＶＤ規格による記録情報を形成した内周側ＤＶＤ用評価領域２１ｂとに分割されている。内周側ＣＤ用評価領域２１ａは評価用ディスク２０の中心からの距離が２５〜２９．３ｍｍの範囲であり、内周側ＤＶＤ用評価領域２１ｂは評価用ディスク２０の中心からの距離が２９．３〜３６ｍｍの範囲である。内周側ＣＤ用評価領域２１ａには、ＣＤ規格による記録情報が形成されており、そのピット深さがλ／４である。内周側ＤＶＤ用評価領域２１ｂには、ＤＶＤ規格による記録情報が形成されており、そのピット深さがλ／８である。
【００２６】
また、中周領域２２は、ＣＤ規格による記録情報を形成した中周側ＣＤ用評価領域２２ａとＤＶＤ規格による記録情報を形成した第１の中周側ＤＶＤ用評価領域２２ｂおよび第２の中周側ＤＶＤ用評価領域２２ｃと、３つに分割されている。中周側ＣＤ用評価領域２２ａには、ＣＤ規格による記録情報が形成されており、そのピット深さがλ／４である。第１の中周側ＤＶＤ用評価領域２２ｂには、ＤＶＤ規格による記録情報が形成されており、そのピット深さがλ／４である。さらに、第２の中周側ＤＶＤ用評価領域２２ｃには、ＤＶＤ規格による記録情報、およびランドプリピットが形成されており、記録情報、およびランドプリピットのピット深さがλ／４である。
【００２７】
さらに、外周領域２３はＤＶＤ規格による記録情報を形成した外周側ＤＶＤ用評価領域２３ｂとＣＤ規格による記録情報を形成した外周側ＣＤ用評価領域２３ａとに分割されている。外周側ＤＶＤ用評価領域２３ｂは評価用ディスク２０の中心からの距離が５０〜５３．７ｍｍの範囲であり、外周側ＣＤ用評価領域２３ａは評価用ディスク２０の中心からの距離が５３．７〜６０ｍｍの範囲である。外内周側ＣＤ用評価領域２３ａには、ＣＤ規格による記録情報が形成されており、そのピット深さがλ／４である。外周側ＤＶＤ用評価領域２３ｂには、ＤＶＤ規格による記録情報が形成されており、そのピット深さがλ／８である。
【００２８】
この検査用ディスク２０は、例えば、
Ａ、内周半径が７．５ｍｍ、外周半径２９．３ｍｍで、前記内周側ＣＤ用評価領域２１ａを形成した部材、
Ｂ、内周半径が２９．３ｍｍ、外周半径が３６ｍｍで前記内周側ＤＶＤ用評価領域２１ｂを形成した部材、
Ｃ、内周半径が３６ｍｍ、外周半径が４３ｍｍで前記中周側ＣＤ用評価領域２２ａを形成した部材、
Ｄ、内周半径が４３ｍｍ、外周半径が４７ｍｍで前記第１の中周側ＤＶＤ用評価領域２２ｂを形成した部材、
Ｅ、内周半径が４７ｍｍ、外周半径が５０ｍｍで前記第２の中周側ＤＶＤ用評価領域２２ｃを形成した部材、
Ｆ、内周半径が５０ｍｍ、外周半径が５３ｍｍで前記外周側ＤＶＤ用評価領域２３ｂを形成した部材、
Ｇ、内周半径が５３ｍｍ、外周半径が６０ｍｍで前記外周側ＣＤ用評価領域２３ａを形成した部材、
を作成し、これらＡ〜Ｇの部材を中心で合わせて接合することにより生成する。
【００２９】
なお、上記Ｄ、Ｅにかかる部材については、一体形成してもよい。
【００３０】
この実施形態の評価用ディスク２０を用いて、評価対象の光ディスク装置１の性能を評価するときの動作を説明する。図３は、光ディスク装置における評価処理を示すフローチャートである。評価対象の光ディスク装置１において、制御部２が記憶している評価プログラムを実行する。光ディスク装置１は、この評価プログラムの実行により、図３に示す評価処理を開始する。
【００３１】
光ディスク装置１は、本体に評価用ディスク２０が装着されるのを待ち（ｓ１）、評価用ディスク２０が装着されると、評価用ディスク２０の中心からの距離が３６．５ｍｍである位置（ＣＤ位相調整位置）において、ピックアップヘッド３に設けられているＣＤ用の第１の光源からレーザ光を照射し、サイドビームの位相差を測定する（ｓ２）。このとき、作業者は、サイドビームの位相差が最小になるように、ピックアップヘッド３に設けられている光学部品の取り付け位置を調整する。光ディスク装置１は、ＣＤについてのサイドビームの位相差にかかる調整が完了すると（ｓ３）、例えば作業者がＣＤについてのサイドビームの位相差にかかる調整の完了を入力すると、評価用ディスク２０の中心からの距離が３５．５ｍｍである位置（ＤＶＤ位相調整位置）において、ピックアップヘッド３に設けられているＤＶＤ用の第１の光源からレーザ光を照射し、サイドビームの位相差を測定する（ｓ４）。このとき、作業者は、サイドビームの位相差が最小になるように、ピックアップヘッド３に設けられている光学部品の取り付け位置を調整する。光ディスク装置１は、ＤＶＤについてのサイドビームの位相差にかかる調整が完了すると（ｓ５）、例えば作業者がＤＶＤについてのサイドビームの位相差にかかる調整の完了を入力すると、後述する１〜７の検査項目毎に測定を行う（ｓ６）。
【００３２】
ＣＤ位相調整位置、およびＤＶＤ位相調整位置は、光ディスク１０の最内周におけるサイドビームの位相差と、最外周におけるサイドビームの位相差とのずれ量（絶対値）が最小になることを実験により確認した位置である。ＣＤ位相調整位置は中周側ＣＤ用評価領域２２ａに位置し、ＤＶＤ位相調整位置は内周側ＤＶＤ用評価領域２１ｂに位置している。また、内周側ＤＶＤ用評価領域２１ｂについては、形成しているＤＶＤ規格による記録情報のピット深さをλ／８にしているので、ＤＰＰ法で十分なレベルのＴＥ信号を得ることができる。したがって、ＤＶＤについてのサイドビームの位相差にかかる調整が適正に行える。
【００３３】
光ディスク装置１は、ｓ６において、
１−評価用ディスク２０の中心からの距離が２５ｍｍである位置（内周側ＣＤ用評価領域２１ａ）において、ピックアップヘッド３に設けられているＣＤ用の第１の光源からレーザ光を照射し、ＣＤについて内周側におけるサイドビームの位相差を測定する。
【００３４】
２−評価用ディスク２０の中心からの距離が２９ｍｍである位置（内周側ＣＤ用評価領域２１ａ）において、ピックアップヘッド３に設けられているＣＤ用の第１の光源からレーザ光を照射し、ＣＤについての再生信号（ＲＦ信号）のレベルを測定する。
【００３５】
３−評価用ディスク２０の中心からの距離が２９．３ｍｍである位置（内周側ＤＶＤ用評価領域２１ｂ）において、ピックアップヘッド３に設けられているＤＶＤ用の第１の光源からレーザ光を照射し、ＤＶＤについて内周側におけるサイドビームの位相差を測定する。
【００３６】
４−評価用ディスク２０の中心からの距離が４５ｍｍである位置（第１の中周側ＤＶＤ用評価領域２２ｂ）において、ピックアップヘッド３に設けられているＤＶＤ用の第１の光源からレーザ光を照射し、ＤＶＤについての再生信号（ＲＦ信号）のレベルを測定する。
【００３７】
５−評価用ディスク２０の中心からの距離が４８ｍｍである位置（第２の中周側ＤＶＤ用評価領域２２ｃ）において、ピックアップヘッド３に設けられているＤＶＤ用の第１の光源からレーザ光を照射し、ＤＶＤについての再生信号（ＲＦ信号）のレベルを測定する。
【００３８】
６−評価用ディスク２０の中心からの距離が５３．５ｍｍである位置（外周側ＤＶＤ用評価領域２３ｂ）において、ピックアップヘッド３に設けられているＤＶＤ用の第１の光源からレーザ光を照射し、ＤＶＤについて外周側におけるサイドビームの位相差を測定する。
【００３９】
７−評価用ディスク２０の中心からの距離が５４ｍｍである位置（外周側ＣＤ用評価領域２３ａ）において、ピックアップヘッド３に設けられているＣＤ用の第１の光源からレーザ光を照射し、ＣＤについて外周側におけるサイドビームの位相差を測定する。
【００４０】
光ディスク装置１は、ｓ６において全ての検査項目について測定を完了すると、評価対象である光ディスク装置１について、その性能の良否を判定し（ｓ７）、その判定結果を出力して（ｓ８）、本処理を終了する。
【００４１】
ａ、ｓ７では、上記ｓ６でＣＤについて測定した内周側におけるサイドビームの位相差と、外周側におけるサイドビームの位相差とのズレ量が予め定められた範囲内であるかどうか、
ｂ、上記ｓ６でＤＶＤについて測定した内周側におけるサイドビームの位相差と、外周側におけるサイドビームの位相差とのズレ量が予め定められた範囲内であるかどうか、
ｃ、ＣＤについての再生信号（ＲＦ信号）のレベルが予め定められた範囲内であるかどうか、
ｄ、ＤＶＤについての再生信号（ＲＦ信号）のレベルが予め定められた範囲内であるかどうかや、ＬＰＰの漏れ込みが予め定められた範囲内であるかどうか等、から総合的に性能の良否を判定する。
【００４２】
なお、ＬＰＰの漏れ込みについては、評価用ディスク２０の中心からの距離が４５ｍｍである位置（第１の中周側ＤＶＤ用評価領域２２ｂ）、および評価用ディスク２０の中心からの距離が４８ｍｍである位置（第２の中周側ＤＶＤ用評価領域２２ｃ）において、測定したＤＶＤについての再生信号（ＲＦ信号）のレベルの差から得られる。
【００４３】
また、内周側ＤＶＤ用評価領域２１ｂおよび外周側ＤＶＤ用評価領域２３ｂについては、形成しているＤＶＤ規格による記録情報のピット深さをλ／８にしているので、ＤＰＰ法で十分なレベルのＴＥ信号を得ることができるので、サイドビームの位相差を正確に測定することができる。
【００４４】
このように、この実施形態の評価用ディスク２０は、半径方向に分割した内周領域２１、中周領域２２、および外周領域２３の３つの領域に、それぞれＣＤ規格による記録情報を形成したＣＤ用評価領域２１ａ、２２ａ、２３ａと、ＤＶＤ規格による記録情報を形成したＤＶＤ用評価領域２１ｂ、２２ｂ、２２ｃ、２３ｂとを形成しているので、ＣＤ、およびＤＶＤについて、内周側、中周側、および外周側におけるサイドビームの位相差を測定することができる。したがって、ＣＤおよびＤＶＤの２種類の光ディスクに対して記録／再生が行える光ディスク装置１に対して、ＣＤおよびＤＶＤについての検査項目について適正な測定が行え、その結果に基づく性能の評価が行える。また、再生信号におけるランドプリピット（ＬＰＰ）の漏れ込みにかかる評価も行える。
【００４５】
なお、この評価用ディスク２０を用いて測定する検査項目については、上記以外の検査項目を追加的に設けてもよい。
【図面の簡単な説明】
【００４６】
【図１】評価対象の光ディスク装置の主要部の概略の構成を示す図である。
【図２】この発明の実施形態である評価用ディスクを示す図である。
【図３】光ディスク装置における評価処理を示すフローチャートである。
【符号の説明】
【００４７】
１−光ディスク装置
２−制御部
３−ピックアップヘッド
２０−評価用ディスク
２１−内周領域
２１ａ−内周側ＣＤ用評価領域
２１ｂ−内周側ＤＶＤ用評価領域
２２ａ−中周側ＣＤ用評価領域
２２ｂ−第１の中周側ＤＶＤ用評価領域
２２ｃ−第２の中周側ＤＶＤ用評価領域
２３ａ−外周側ＣＤ用評価領域
２３ｂ−外周側ＤＶＤ用評価領域
【図１】
2006040388.tif 000003
【図２】
2006040388.tif 000004
【図３】
2006040388.tif 000005